(57)【特許請求の範囲】
【請求項１】
ランプと、ランプを調光点灯させる調光点灯手段と、ランプの光が照射される被照射面の明るさを検出する明るさセンサと、明るさセンサの検出値が所定の目標値となるように調光点灯手段を制御する調光制御手段と、人体から放射される熱線を検知することにより照明領域における人の存否を検出する焦電型の人感センサと、人感センサから検出信号が入力される毎に前記目標値を所定の変化分ずつ変化させる目標値設定手段とを備えて成ることを特徴とする照明装置。
【請求項２】
前記目標値設定手段が前記目標値に上限値を設けたことを特徴とする請求項１記載の照明装置。
【請求項３】
前記目標値設定手段は、人感センサから入力される検出信号の回数に応じて、回数が増えるほど上記変化分を大きくすることを特徴とする請求項１又は２記載の照明装置。
【発明の詳細な説明】
【０００１】
【発明の属する技術分野】
本発明は、照明装置に関するものである。
【０００２】
【従来の技術】
従来より、例えば蛍光灯などのランプ、及び、外部から入力される調光信号に応じてランプを調光点灯させる調光点灯手段を具備した照明負荷と、ランプの光が照射される被照射面の照度を検出する明るさセンサと、人体から放射される熱線を検出することにより、所定の検知領域（例えば、ランプの光が照射される領域（以下、この領域を照明領域と言う。））内の人の存否を検出する人感センサと、明るさセンサ及び人感センサの検出信号に基づいて調光信号を変化させ、調光点灯手段の出力を制御する調光制御手段とを備えた照明装置があった（例えば特開平１０−１２５４７７号公報参照）。
【０００３】
ところで、調光制御手段は、明るさセンサの検出した被照射面の照度に基づいて、被照射面の照度が予め設定された目標値と略等しくなるように、調光信号を変化させて、調光点灯手段の出力を制御しているのであるが、照明領域に人がいない場合はランプの明るさを明るくする必要がないので、人の存否に応じて明るさの目標値を変化させていた。
【０００４】
すなわち、図１３に示すように、時刻ｔ５０〜ｔ５１において照明領域内に人がおらず、人感センサが検出信号Ｓ２を発生していない場合、調光制御手段は明るさの目標値ＬＺを低照度レベルＬ０としていた。一方、時刻ｔ５１において、人感センサ５が人を検出し、検出信号Ｓ２を発生すると、調光制御手段は明るさの目標値ＬＺを低照度レベルＬ０よりも明るい高照度レベルＬｘに切り換えていた。
【０００５】
ここで、調光制御手段は、人感センサから検出信号Ｓ２が入力されると、調光点灯手段に調光信号を出力すると共に、所定の動作保持時間の限時を開始しており、この動作保持時間の限時動作中に、再度人感センサから検出信号Ｓ２が入力された場合には、動作保持時間を再度最初から限時しなおすことで、調光信号の出力時間すなわちランプの点灯時間を延長するようになっている。そして、動作保持時間の限時が完了すると、調光制御手段は調光信号の出力を停止して、ランプを消灯させている。
【０００６】
【発明が解決しようとする課題】
上記構成の照明装置では、人感センサが人の存在を検知すると、調光制御手段は明るさの目標値ＬＺを低照度レベルＬ０から高照度レベルＬｘに切り換えているため、目標値ＬＺを切り換えた時点で、明るさセンサの検出信号Ｓ３と目標値ＬＺとの偏差が大きくなる。そのため、調光制御手段から調光点灯手段に出力される調光信号が大きくなるが、調光制御手段から出力される調光信号にランプの光束が追従せず、被照射面の照度の立ち上がりが遅いために、その照度がオーバーシュートする場合があった。
【０００７】
また、人が照明領域を通り過ぎただけでも、調光制御手段は明るさの目標値ＬＺを高照度レベルＬｘに切り換えており、図１４に示すように、人感センサの検出信号Ｓ２がなくなってから、動作保持時間Ｔ１の限時が終了するまでの間、明るさの目標値ＬＺが高照度レベルＬｘに保持されるため、電力が無駄に消費されるという問題があった。そこで、省エネを図るために、動作保持時間Ｔ１を短くしたり、動作保持時間の限時中に明るさの目標値ＬＺを徐々に低下させたり、或いは、人感センサの検知時間に応じて、検知初期には明るさの目標値を低照度レベルＬ０とし、検知時間が長くなると明るさの目標値を高照度レベルＬｘに切り換えるというような方法が採られていた。人感センサの検知時間に応じて明るさの目標値ＬＺを切り換える方法では、明るさセンサの検出値に応じて明るさの目標値を決定したり、低照度レベルＬ０から高照度レベルＬｘに切り換えるまでの時間を変化させることもできるが、昼光や周囲の照明器具の光により、照明領域が充分明るい場合でも、人が照明領域を通過しただけで、調光制御手段がランプを所定の光出力で点灯させてしまうため、電力が無駄に消費されるという問題があった。
【０００８】
本発明は上記問題点に鑑みて為されたものであり、その目的とするところは、被照射面の照度をオーバーシュートすることなく、短時間で目標値まで変化させることができ、且つ、省エネを図った照明装置を提供することにある。
【０００９】
【課題を解決するための手段】
上記目的を達成するために、請求項１の発明では、ランプと、ランプを調光点灯させる調光点灯手段と、ランプの光が照射される被照射面の明るさを検出する明るさセンサと、明るさセンサの検出値が所定の目標値となるように調光点灯手段を制御する調光制御手段と、人体から放射される熱線を検知することにより照明領域における人の存否を検出する焦電型の人感センサと、人感センサから検出信号が入力される毎に前記目標値を所定の変化分ずつ変化させる目標値設定手段とを備えて成ることを特徴とし、目標値設定手段は、トリガ信号が入力されると所定の変化分ずつ目標値を変化させているので、従来の照明装置のように目標値を低照度レベルから高照度レベルに一度に切り換える場合に比べて、目標値の変化量を小さくできる。したがって、ランプの光出力が目標値に追従しやすくなり、被照射面の照度がオーバーシュートするのを防止でき、且つ、照度の変化量を小さくできるから、ランプが高照度で点灯されることはなく、省エネを図ることができる。
【００１０】
請求項２の発明では、請求項１の発明において、目標値設定手段が目標値に上限値を設けたことを特徴とし、被照射面の照度が上限値よりも明るくなることがない。
【００１１】
請求項３の発明では、請求項１又は２の発明において、目標値設定手段は、人感センサから入力される検出信号の回数に応じて、回数が増えるほど上記変化分を大きくすることを特徴とし、請求項１又は２の発明と同様の作用を奏する。
【００１２】
【発明の実施の形態】
本発明の実施の形態を図面を参照して説明する。
【００１３】
（実施形態１）
本実施形態の照明装置のブロック図を図１に示す。この照明装置は、例えば蛍光灯などのランプ１、及び、後述の制御部６から入力される調光信号に応じてランプ１を調光点灯させる調光点灯部（調光点灯手段）２を具備した照明負荷３と、ランプ１の光が照射される被照射面の明るさを検出する例えばＣｄＳからなる明るさセンサ４と、人体から放射される熱線（赤外線）を検知することにより照明領域における人の存否を検出する人感センサ５と、明るさセンサ４及び人感センサ５の検出信号Ｓ３，Ｓ２に基づいて調光信号を変化させ、調光点灯部２の出力を制御する制御部（調光制御手段）６とを備えている。ここに、人感センサ５は、例えば焦電素子、及び、照明領域からの熱線を焦電素子に集光するレンズからなるセンサや、超音波を用いて物体の移動を検出する超音波センサなどから構成される。
【００１４】
ここで、制御部６の制御モードには、明るさセンサ４の検出した被照射面の照度（すなわち、明るさセンサ４の検出信号Ｓ２）に基づいて、被照射面の明るさが予め設定された目標値ＬＺと略等しくなるように調光点灯部２の出力を制御する制御モード（以下、この制御モードを定照度制御モードという。）と、明るさセンサ４の検出した被照射面の照度と無関係に調光点灯部２を略一定の調光比（調光レベル）で制御する制御モード（以下、この制御モードを定出力制御モードという。）の２つの制御モードがある。
【００１５】
通常（照明領域に人がおらず、人感センサ５が人の存在を検出していない場合）、制御部６は定出力制御モードで動作しており、ランプ１の光出力を所定の低出力レベルで点灯させるか、又は、消灯させている。一方、人感センサ５が人の存在を検出すると、制御部６は定照度制御モードで動作し、被照射面の照度が所定の目標値ＬＺとなるように、調光点灯部２の出力を制御する。
【００１６】
次に、この照明装置の動作を図２を参照して説明する。尚、図２中の二重線は明るさの目標値ＬＺを示している。人感センサ５は、例えば焦電素子などの検出素子と、検出素子の検出信号Ｓ１を波形成形する波形成形回路とを備えており、波形成形回路では、検出素子の検出信号Ｓ１の絶対値と所定のしきい値Ｓ０との大小を比較し、検出信号Ｓ１の絶対値がしきい値Ｓ０以上になると、検出信号Ｓ２を発生する。
【００１７】
時刻ｔ０〜ｔ１において照明領域内に人がおらず、人感センサ５が検出信号Ｓ２を発生していない場合、制御部６は定出力制御モードで動作し、ランプ１の光出力が所定の低出力レベルとなるよう、調光点灯部２の出力を制御する。
【００１８】
時刻ｔ１において、人感センサ５が人の存在を検出し、検出信号Ｓ２を発生すると、制御部６の制御モードは定出力制御モードから定照度制御モードに切り換えられ、制御部６は、明るさセンサ４の検出した被照射面の照度が明るさの目標値ＬＺと略等しくなるように、調光点灯部２の出力を制御する。この時、制御部６は、定出力制御モードで点灯している時の被照射面の照度よりも明るい照度Ｌ１に明るさの目標値を設定しており、その後人感センサ５から検出信号Ｓ２が入力される毎に、明るさの目標値ＬＺをＬ１からＬ２、Ｌ２からＬ３というように、所定の変化分ΔＬずつ明るくしている。ここに、人感センサ５の検出信号Ｓ２からトリガ信号が構成される。
【００１９】
また制御部６は、人感センサ５より検出信号Ｓ２が入力されなくなってから、所定の動作保持時間が経過すると、定照度制御モードから定出力制御モードへ移行し、ランプ１の光出力を徐々に低下させ、所定の低出力レベルで点灯させる。
【００２０】
このように、制御部６は、人感センサ５から検出信号Ｓ２が入力される毎に明るさの目標値ＬＺを所定の変化分ΔＬずつ明るくしているので、従来の照明装置のように、明るさの目標値ＬＺを低照度レベルＬ０から高照度レベルＬｘへ急激に切り換える場合に比べて目標値ＬＺの増分が小さくなる。したがって、ランプ１の光出力が目標値ＬＺに追従しやすくなり、被照射面の照度がオーバーシュートするのを防止できる。また、人感センサ５の検出信号Ｓ２が入力される毎に、明るさの目標値ＬＺを所定の変化分ΔＬずつ増加させているので、人が照明領域を通過しただけでは、明るさの目標値ＬＺが高照度レベルＬｘまで変化しなくなるから、消費電力が小さくなり、省エネが図られる。
【００２１】
ところで、この照明装置が廊下に設置された場合を考えると、人が廊下を通行する場合は、ランプ１による照明領域内にいる時間が比較的短く、またランプ１の光出力も低照度で良い。一方、廊下で作業を行う場合には、照明領域内にいる時間が比較的長く、また、ランプ１の光出力も作業を行えるように高照度で点灯させる必要がある。本実施形態の照明装置では、人感センサ５が人の存在を検出すると、制御部６は定照度制御モードで動作しており、制御部６は、人感センサ５から検出信号Ｓ２が入力される毎に、明るさの目標値ＬＺを所定の変化分ΔＬずつ明るくしているので、図３に示すように、廊下を短時間で通行するような場合には明るさの目標値ＬＺはあまり明るくならず、昼光などによる被照射面の照度が目標値ＬＺよりも明るい場合、ランプ１が点灯されることはないから、省エネを図ることができる。
【００２２】
また、廊下を通行する時間が長くなって、図４に示すように明るさの目標値ＬＺが、昼光による被照射面の照度より明るくなったとしても、昼光による被照射面の照度と目標値ＬＺとの差をランプ１の光出力Ｐにより補えば良いから、ランプ１を一定の光出力で点灯させる場合に比べて、ランプ１の光出力Ｐを小さくでき、省エネを図ることができる。さらに、図５に示すように、廊下で何らかの作業を行うために廊下に長時間滞在した場合でも、上述と同様、昼光による被照射面の照度と目標値ＬＺとの差を、ランプ１の光出力Ｐにより補えば良いから、ランプ１を一定の光出力で点灯させる場合に比べて、ランプ１の光出力Ｐを小さくでき、省エネを図ることができる。
【００２３】
尚、制御部６は、人感センサ５から検出信号Ｓ２が入力される毎に、明るさの目標値ＬＺを変化分ΔＬずつ明るくしているが、明るさの目標値ＬＺに上限値を設けても良く、図６に示すように明るさの目標値ＬＺが上限値（例えばＬ８）に達すると、人感センサ５から検出信号Ｓ２がさらに入力されたとしても、制御部６が目標値ＬＺをそれ以上明るくしないようにしても良い。このように、明るさの目標値ＬＺに上限値を設けることによって、被照射面の照度が必要以上に明るくなることはなく、省エネを図ることができる。
【００２４】
また、本実施形態では明るさの目標値ＬＺの変化分ΔＬを略一定にしているが、例えば人感センサ５の発生する検出信号Ｓ２の個数と目標値ＬＺとの対応関係を示すデータテーブルを設け、人感センサ５から検出信号Ｓ２が入力される毎に、制御部６が上記データテーブルにしたがって、検出信号Ｓ２が１個目であれば目標値ＬＺをＬ１、２個目であればＬ２、３個目であればＬ３、４個目であればＬ４…のように変化させても良い（Ｌ１＜Ｌ２＜Ｌ３＜Ｌ４）。また、目標値ＬＺの変化分ΔＬを演算により増減させるようにしても良く、例えば検出信号Ｓ２が１個目であれば変化分ΔＬ＝Ｌ、２個目であれば変化分ΔＬ＝Ｌ２、３個目であれば変化分ΔＬ＝Ｌ３、４個目であれば変化分ΔＬ＝Ｌ４のように、検出信号Ｓ２の個数がｎ個であればＬをｎ乗して変化分ΔＬを決定するようにしても良いし、検出信号Ｓ２が１個目であれば変化分ΔＬ＝Ｌ、２個目であれば変化分ΔＬ＝Ｌ×２、３個目であれば変化分ΔＬ＝Ｌ×３、４個目であれば変化分ΔＬ＝Ｌ×４のように、検出信号Ｓ２の個数がｎ個であればＬにｎを乗じて変化分ΔＬを決定するようにしても良い。また、トリガ信号の個数に応じて変化分ΔＬの大きさを決定する代わりに、トリガ信号の種類や入力時間により、上述のデータテーブルや演算などの方法を用いて変化分ΔＬの大きさを決定するようにしても良い。
【００２５】
（実施形態２）
実施形態１の照明装置では、制御部６は、人感センサ５から検出信号Ｓ２が１個入力される毎に、明るさの目標値ＬＺを所定の変化分ΔＬずつ明るくしているが、本実施形態では、図７に示すように、人感センサ５から検出信号Ｓ２が所定個数（例えば３回）入力される毎に、制御部６は明るさの目標値ＬＺを所定の変化分ΔＬずつ明るくさせている。すなわち、制御部６は、人感センサ５から検出信号Ｓ２が３個入力される毎に、目標値ＬＺを変化させる内部トリガを１個発生しており、内部トリガを発生する毎に現在の目標値ＬＺを変化分ΔＬだけ明るくしている。ここに、人感センサ５から入力される所定個数の検出信号Ｓ２によりトリガ信号が構成される。尚、照明装置の構成は実施形態１と同様であるので、その説明は省略する。
【００２６】
このように、制御部６は、人感センサ５から検出信号Ｓ２が所定個数入力される毎に、明るさの目標値ＬＺを所定の変化分ΔＬずつ明るくしているので、検出信号Ｓ２が１個入力される毎に目標値ＬＺを変化分ΔＬずつ明るくする場合に比べ、目標値ＬＺの変化する速度を遅くできる。
【００２７】
ここに、本実施形態では、制御部６は、人感センサ５から検出信号Ｓ２が３個入力されると内部トリガを発生しているが、内部トリガを発生するのに必要な検出信号Ｓ２の個数を３個に限定する趣旨のものではなく、例えば検出信号Ｓ２が４個入力されると、内部トリガを発生して、明るさの目標値ＬＺをΔＬずつ明るくするようにしても良い。また、制御部６は、内部トリガを発生する毎に、内部トリガを発生するのに必要な検出信号Ｓ２の個数を順番に増加又は減少させても良いし、内部トリガを所定個数以上発生すると（すなわち、明るさの目標値ＬＺが所定の照度レベルまで明るくなると）、内部トリガを発生するのに必要な検出信号Ｓ２の個数を変化させるようにしても良い。
【００２８】
（参考例１）
実施形態１の照明装置では、制御部６は、人感センサ５が人を検知していない場合には定出力制御モードで動作し、人感センサ５が人を検知すると定照度制御モードで動作しているが、本参考例では、制御部６は常に定照度制御モードで動作しており、照明領域内に人がいない時には、明るさの目標値ＬＺを所定の低照度レベルＬ０に設定し、人感センサ５から検出信号Ｓ２が入力される毎に、明るさの目標値ＬＺを所定の変化分ΔＬずつ明るくしている。尚、照明装置の基本的な構成は実施形態１と同様であるので、その説明は省略する。
【００２９】
ところで、実施形態１では、人感センサ５から検出信号Ｓ２が入力される毎に、制御部６が明るさの目標値ＬＺを所定の変化分ΔＬずつステップ的に明るくしているが、本参考例では、図８に示すように、人感センサ５から検出信号Ｓ２が入力されると、制御部６は明るさの目標値ＬＺの変化を開始し、所定の傾きで目標値ＬＺを徐々に明るくさせる。そして、人感センサ５から検出信号Ｓ２が入力されなくなると、制御部６は目標値ＬＺの変化を停止させ、その時点での目標値ＬＺを保持する。その後、制御部６は、人感センサ５から検出信号Ｓ２が再度入力される度に、明るさの目標値ＬＺの変化を開始して、所定の傾きで目標値ＬＺを徐々に明るくさせ、人感センサ５から検出信号Ｓ２が入力されなくなると、その時点での目標値ＬＺを保持する。また、検出信号Ｓ２が入力されなくなってから、所定の動作保持時間が経過すると、制御部６は、明るさの目標値ＬＺを低照度レベルＬ０まで徐々に低下させる。
【００３０】
このように、本参考例では、制御部６が明るさの目標値ＬＺを所定の傾きで明るくしているので、目標値ＬＺをステップ的に変化させる場合に比べて、被照射面の照度の変化が滑らかになり、使用者に違和感を与えることがない。
【００３１】
（参考例２）
実施形態１の照明装置では、人感センサ５から検出信号Ｓ２が入力される毎に、制御部６は明るさの目標値ＬＺを所定の変化分ΔＬずつ明るくしているが、本参考例では、検出信号Ｓ２が所定時間継続して入力されると、制御部６は明るさの目標値ＬＺを所定の変化分ΔＬずつ明るくしている。尚、照明装置の構成は実施形態１と同様であるので、その説明は省略する。
【００３２】
この照明装置の動作を図９を参照して説明する。時刻ｔ１０〜ｔ１１において、人感センサ５が人の存在を検出していない場合、制御部６は定出力制御モードで動作し、ランプ１の光出力を所定の低出力レベルとするよう調光点灯部２の動作を制御する。
【００３３】
時刻ｔ１１において人感センサ５が人の存在を検出し、人感センサ５から制御部６に検出信号Ｓ２が入力されると、制御部６の動作モードが定出力制御モードから定照度制御モードに切り換えられ、制御部６は、明るさセンサ４の検出した被照射面の照度が明るさの目標値ＬＺと略等しくなるように、調光点灯部２の出力を制御する。
【００３４】
ここで、時刻ｔ１１では明るさの目標値ＬＺはＬ１に設定されており、時刻ｔ１１から時間Ｔａが経過するまでの間、人感センサ５から検出信号Ｓ２が継続して入力されると、時刻ｔ１１から時間Ｔａが経過した時刻ｔ１２において、制御部６は明るさの目標値ＬＺを所定の変化分ΔＬだけ明るくし、目標値ＬＺをＬ２に変化させる。同様に、時刻ｔ１１から時間Ｔｂ（Ｔｃ）が経過するまでの間、人感センサ５から検出信号Ｓ２が継続して入力されると、時刻ｔ１１から時間Ｔｂ（Ｔｃ）が経過した時刻ｔ１３（ｔ１４）において、制御部６は明るさの目標値ＬＺを所定の変化分ΔＬだけ明るくし、目標値ＬＺをＬ３（Ｌ４）に変化させる。その後、人感センサ５から検出信号Ｓ２が入力されなくなって、所定の動作保持時間が経過すると、制御部６の動作モードが定照度制御モードから定出力制御モードに切り換えられ、制御部６はランプ１の光出力を低出力レベルまで徐々に低下させる。
【００３５】
尚、本参考例では、制御部６は明るさの目標値ＬＺをステップ的に変化させているが、図１０に示すように目標値ＬＺを徐々に変化させても良い。時刻ｔ２１において人感センサ５が人の存在を検出し、人感センサ５から検出信号Ｓ２が入力されると、制御部６は明るさの目標値ＬＺの変化を開始し、目標値ＬＺを一定の傾きで増加させる。そして、時刻ｔ２１から時間Ｔ２１が経過し、明るさの目標値ＬＺがＬ１まで増加すると、制御部６は目標値ＬＺの変化を停止させる。
【００３６】
時刻ｔ２１から時間Ｔａが経過するまでの間、人感センサ５から検出信号Ｓ２が継続して入力されると、時刻ｔ２１から時間Ｔａが経過した時刻ｔ２２において、制御部６は明るさの目標値ＬＺの変化を開始し、目標値ＬＺを一定の傾きで増加させる。そして、時刻ｔ２２から時間Ｔ２２が経過し、明るさの目標値ＬＺが所定の変化分ΔＬだけ増加してＬ２に達すると、制御部６は目標値ＬＺの変化を停止させる。
【００３７】
同様に、時刻ｔ２１から時間Ｔｂ（Ｔｃ）が経過するまでの間、人感センサ５から検出信号Ｓ２が継続して入力されると、時刻ｔ２１から時間Ｔｂ（Ｔｃ）が経過した時刻ｔ２３（ｔ２４）において、制御部６は明るさの目標値ＬＺの変化を開始し、目標値ＬＺを一定の傾きで増加させる。そして、時刻ｔ２３，ｔ２４から時間Ｔ２３（Ｔ２４）が経過し、明るさの目標値ＬＺが所定の変化分ΔＬだけ増加してＬ３（Ｌ４）に達すると、制御部６は目標値ＬＺの変化を停止させる。その後、人感センサ５から検出信号Ｓ２が入力されなくなって、所定の動作保持時間が経過すると、制御部６の動作モードが定照度制御モードから定出力制御モードに切り換えられ、制御部６はランプ１の光出力を低出力レベルまで徐々に低下させる。このように、制御部６は明るさの目標値ＬＺを所定の傾きで徐々に明るくしているので、目標値ＬＺをステップ的に変化させる場合に比べて、被照射面の照度の変化が滑らかになり、使用者に違和感を与えることがない。
【００３８】
上述のように制御部６は、人感センサ５から検出信号Ｓ２が所定時間継続して入力されると、それをトリガ信号として明るさの目標値ＬＺの変化を開始し、一定の時間をかけて、一定の変化分ΔＬだけ目標値ＬＺを明るくしており、ランプ１による照明空間内に人の存在する時間が長くなるにつれ、ランプ１の光が照射される被照射面の照度を明るくしているので、人がいる時間が短ければ、目標値ＬＺの増分が小さくなり、被照射面の照度が必要以上に明るくなることがなく、省エネを図ることができる。また、人がいる時間が長ければ、目標値ＬＺの増分が大きくなり、被照射面の照度が十分明るくなるので、人が作業などを行うのに必要な照度を確保することができる。
【００３９】
尚、本参考例では、制御部６は、人感センサ５から検出信号Ｓ２が所定時間継続して入力されると、それをトリガ信号として明るさの目標値ＬＺの変化を開始し、一定の時間をかけて、一定の変化分ΔＬだけ目標値ＬＺを明るくしているが、明るさの目標値ＬＺを一定の変化分ΔＬだけ変化させるのに要する時間を徐々に長く、又は、短くしても良いし、一定の時間をかけて変化させる目標値の変化分ΔＬを徐々に増加、又は、減少させても良い。また、明るさの目標値ＬＺの変化を開始させるトリガ信号が入力されると、制御部６は、明るさの目標値ＬＺを所定の時間内に所定の変化分ΔＬだけ明るくし、次にトリガ信号が入力されるまで、変化させた目標値ＬＺを保持するようにしても良い。
【００４０】
（参考例３）
実施形態１の照明装置では、人感センサ５から検出信号Ｓ２が入力されなくなって、所定の動作保持時間が経過すると、制御部６の動作モードが定照度制御モードから定出力制御モードに切り換えられ、制御部６はランプ１の光出力を低出力レベルまで徐々に低下させているが、本参考例では、制御部６は常時定照度制御モードで動作しており、検出信号Ｓ２が入力されなくなってから、所定時間が経過する毎に、明るさの目標値ＬＺを所定の変化分ΔＬずつ暗くしている。尚、照明装置の構成は実施形態１と同様であるので、その説明は省略する。
【００４１】
この照明装置の動作を図１１を参照して説明する。尚、図１１中の二重線は明るさの目標値ＬＺを示している。制御部６は常時定照度制御モードで動作しており、人感センサ５が人の存在を検出し、人感センサ５から検出信号Ｓ２が入力される毎に、制御部６は明るさの目標値ＬＺを所定の変化分ΔＬずつステップ的に明るくしている。その後、照明領域内に人がいなくなり、人感センサ５より検出信号Ｓ２が入力されなくなってから、所定時間が経過する毎に、制御部６は明るさの目標値ＬＺを所定の変化分ΔＬずつステップ的に暗くしている。
【００４２】
すなわち、時刻ｔ３０において人感センサ５より検出信号Ｓ２が入力されなくなってから、所定の動作保持時間Ｔ３１が経過した時刻ｔ３１において、制御部６は明るさの目標値ＬＺを所定の変化分ΔＬだけステップ的に暗くする。その後、時刻ｔ３０から時間Ｔ３２が経過した時刻Ｔ３２において、制御部６は明るさの目標値ＬＺをさらに変化分ΔＬだけステップ的に暗くする。以下同様に、時刻ｔ３０から所定の時間Ｔ３３，Ｔ３４，Ｔ３５が経過する毎に、制御部６は、明るさの目標値ＬＺが低照度レベルＬ０となるまで、明るさの目標値ＬＺを変化分ΔＬずつステップ的に暗くする。尚、制御部６が明るさの目標値ＬＺをステップ的に暗くしている途中で、人感センサ５が人の存在を検出して、人感センサ５から検出信号Ｓ２が再度入力されると、上述と同様に、制御部６は明るさの目標値ＬＺを所定の変化分ΔＬだけステップ的に明るくさせる。
【００４３】
このように、本参考例では明るさの目標値ＬＺを暗くする際にも、目標値ＬＺを所定の変化分ΔＬずつ変化させているので、明るさの目標値ＬＺを高照度レベルＬｘから低照度レベルＬ０へ急激に切り換える場合に比べて目標値ＬＺの減少分が小さくなる。したがって、ランプ１の光出力が目標値ＬＺに追従しやすくなる。また、明るさの目標値ＬＺを所定の変化分ΔＬずつ暗くしているので、人が短時間いなくなっただけでは、明るさの目標値ＬＺが低照度レベルＬ０まで変化しなくなり、被照射面の照度が急激に低下するのを防止し、人が短時間で戻った場合でも人に違和感を与えることがない。
【００４４】
（参考例４）
実施形態１の照明装置では、人感センサ５から検出信号Ｓ２が入力される毎に、制御部６が明るさの目標値ＬＺを所定の変化分ΔＬずつステップ的に明るくしているが、本参考例では、人感センサ５から検出信号Ｓ２が入力されると、制御部６が明るさの目標値ＬＺを所定の変化分ΔＬだけ明るくさせ、その後、明るさセンサ４の検出した被照射面の照度が目標値ＬＺに達する毎に、目標値ＬＺを所定の変化分ΔＬずつ明るくしている。尚、照明装置の構成は実施形態１と同様であるので、その説明は省略する。
【００４５】
この照明装置の動作を図１２を参照して以下に説明する。時刻ｔ４１において人感センサ５が人の存在を検出し、人感センサ５から検出信号Ｓ２が入力されると、制御部６は明るさの目標値ＬＺを低照度レベルＬ０から所定の変化分ΔＬだけ明るくする。
【００４６】
制御部６が明るさの目標値ＬＺを明るくすると、調光点灯部２がランプ１の光出力を増加させ、明るさセンサ４の検出した被照射面の照度が明るくなる。そして、被照射面の照度（すなわち明るさセンサ４の検出信号Ｓ３）が明るさの目標値ＬＺに達すると、制御部６は明るさの目標値ＬＺをさらに変化分ΔＬだけ明るくする。以下同様に、制御部６は、明るさセンサ４の検出した被照射面の照度が明るさの目標値ＬＺに達する毎に、目標値ＬＺを所定の変化分ΔＬずつ増加させており、明るさの目標値ＬＺが高照度レベルＬｘに達すると、目標値ＬＺの変化を停止させる。
【００４７】
本参考例では制御部６は、先ず人感センサ５から検出信号Ｓ２が入力されると、明るさの目標値ＬＺの変化を開始し、次回からは、最初に入力されたトリガ信号（すなわち人感センサ５の検出信号Ｓ２）とは異なる情報からなるトリガ信号（すなわち明るさセンサ４の検出信号Ｓ３）が入力されると、明るさの目標値ＬＺを変化させている。
【００４８】
このように、制御部６は、明るさの目標値ＬＺを変化させる際に、明るさセンサ４の検出した被照射面の照度が目標値ＬＺに達する毎に、目標値ＬＺを所定の変化分ΔＬずつ明るくしているので、従来の照明装置のように、明るさの目標値ＬＺを低照度レベルＬ０から高照度レベルＬｘへ急激に切り換える場合に比べて目標値ＬＺの増分が小さくなる。したがって、ランプ１の光出力が目標値ＬＺに追従しやすくなり、被照射面の照度がオーバーシュートするのを防止できる。
【００４９】
尚、上述の各実施形態では、制御部６は、人感センサ５の検出信号Ｓ２や明るさセンサ４の検出信号Ｓ３をトリガ信号として、明るさの目標値ＬＺを所定の変化分ΔＬずつ変化させているが、トリガ信号を人感センサ５の検出信号Ｓ２や明るさセンサ４の検出信号Ｓ３に限定する趣旨のものではなく、外部よりワイヤレス信号により送信されたリモコン信号をトリガ信号として、明るさの目標値ＬＺを所定の変化分ΔＬずつ変化さても良い。
【００５０】
【発明の効果】
上述のように、請求項１の発明は、ランプと、ランプを調光点灯させる調光点灯手段と、ランプの光が照射される被照射面の明るさを検出する明るさセンサと、明るさセンサの検出値が所定の目標値となるように調光点灯手段を制御する調光制御手段と、人体から放射される熱線を検知することにより照明領域における人の存否を検出する焦電型の人感センサと、人感センサから検出信号が入力される毎に前記目標値を所定の変化分ずつ変化させる目標値設定手段とを備えて成ることを特徴とし、目標値設定手段は、トリガ信号が入力されると所定の変化分ずつ目標値を変化させているので、従来の照明装置のように目標値を低照度レベルから高照度レベルに一度に切り換える場合に比べて、目標値の変化量を小さくできるという効果がある。したがって、ランプの光出力が目標値に追従しやすくなり、被照射面の照度がオーバーシュートするのを防止でき、且つ、照度の変化量を小さくできるから、ランプが高照度で点灯されることはなく、省エネを図ることができるという効果がある。
【００５１】
請求項２の発明は、請求項１の発明において、目標値設定手段が目標値に上限値を設けたことを特徴とし、被照射面の照度が上限値よりも明るくなることがない。
【００５２】
請求項３の発明は、請求項１又は２の発明において、目標値設定手段は、人感センサから入力される検出信号の回数に応じて、回数が増えるほど上記変化分を大きくすることを特徴とし、請求項１又は２の発明と同様の効果を奏する。
【図面の簡単な説明】
【図１】  実施形態１の照明装置のブロック図である。
【図２】  同上の動作を説明する説明図である。
【図３】  同上の別の動作を説明する説明図である。
【図４】  同上のまた別の動作を説明する説明図である。
【図５】  同上のさらに別の動作を説明する説明図である。
【図６】  同上のまた更に別の動作を説明する説明図である。
【図７】  実施形態２の照明装置の動作を説明する説明図である。
【図８】  参考例１の照明装置の動作を説明する説明図である。
【図９】  参考例２の照明装置の動作を説明する説明図である。
【図１０】  同上の別の動作を説明する説明図である。
【図１１】  参考例３の照明装置の動作を説明する説明図である。
【図１２】  参考例４の照明装置の動作を説明する説明図である。
【図１３】  従来の照明装置の動作を説明する説明図である。
【図１４】  同上の別の動作を説明する説明図である。
【符号の説明】
１  ランプ
２  調光点灯部
３  照明負荷
４  明るさセンサ
５  人感センサ
６  制御部
【図１】
0003867449.tif 000002
【図２】
0003867449.tif 000003
【図３】
0003867449.tif 000004
【図４】
0003867449.tif 000005
【図５】
0003867449.tif 000006
【図６】
0003867449.tif 000007
【図７】
0003867449.tif 000008
【図８】
0003867449.tif 000009
【図９】
0003867449.tif 000010
【図１０】
0003867449.tif 000011
【図１１】
0003867449.tif 000012
【図１２】
0003867449.tif 000013
【図１３】
0003867449.tif 000014
【図１４】
0003867449.tif 000015